(57)【要約】【課題】メンテナンス用のクレーンの吊り代を低減できるできるとともにメンテナンスエリアを縮小することができ、建家の縮小化を図ることができる補機冷海水装置を得ること。【解決手段】海水を取水するための取水槽１０と壁１１を隔ててポンプ室１２を設け、そのポンプ室１２に海水を揚水する横軸型海水ポンプ１４を設置した。【選択図】図１
2007170287.tif 000002
【特許請求の範囲】
【請求項１】
海水を取水するための取水槽と壁を隔ててポンプ室を設け、そのポンプ室に海水を揚水する横軸型海水ポンプを設置したことを特徴とする補機冷海水装置。
【請求項２】
前記ポンプ室のポンプ据付床に漏水貯槽を設け、前記海水ポンプの軸封部から漏洩した海水を排出するための排出用ポンプを設けたことを特徴とする、請求項１記載の補機冷海水装置。
【請求項３】
前記排出用ポンプを前記海水ポンプの軸端に直結したことを特徴とする、請求項２記載の補機冷海水装置。
【請求項４】
前記海水ポンプの軸封部には個体接触シールを設けたことを特徴とする、請求項１または２記載の補機冷海水装置。
【請求項５】
前記海水ポンプは軸封部を有しない構造のものであることを特徴とする、請求項１記載の補機冷海水装置。
【請求項６】
前記海水ポンプは両吸込型ポンプであることを特徴とする、請求項１ないし５のいずれかに記載の補機冷海水装置。
【請求項７】
前記海水ポンプに接続された吸込配管には遮断装置を有する接続配管を介して貯水装置が接続されており、前記取水槽に設置された水位計の信号により前記遮断装置を制御する制御装置を有することを特徴とする、請求項１ないし６のいずれかに記載の補機冷海水装置。
【請求項８】
横軸型海水ポンプの軸端に直結されていない漏洩水用の予備ポンプを有することを特徴とする、請求項３記載の補機冷海水装置。
【発明の詳細な説明】
【技術分野】
【０００１】
本発明は、原子力発電所等に設置される補機の冷却を行う海水の揚水を行う補機冷海水装置に関する。
【背景技術】
【０００２】
一般に、原子力発電所等においては海水の揚水により補機の冷却が行われている。図８は上記原子力発電所等における補機冷海水装置の概略構成を示す図であり、海に隣接して取水槽１が設けられており、その取水槽１の上部にポンプ室２が設けられ、そのポンプ室２に海水を揚水する立軸型ポンプ３が設置されている。そして上記立軸型ポンプ３の縦長の吸水管４が上記取水槽１内の海水中に挿入されている。
【０００３】
ところで、上記原子力発電所に設置される補機冷海水装置は常に冷却用の海水を供給する機能を保持する必要がある。したがって、津波の引き波による海水の水位低下時においても海水の揚水ができるように、上記立軸型ポンプ３においては通常水位よりも十分に低い水位を設計水位に設定されている。また、上記立軸型ポンプ３は、そのメンテナンスを考慮してポンプ据付床が外洋水位以上に設定されており、没水深さが深くなるような長尺の吸水管４を有するポンプとすることにより、津波の引き波による海水の水位低下時にも揚水できるようにしてある。
【発明の開示】
【発明が解決しようとする課題】
【０００４】
ところが、上述のように従来の補機冷海水装置のポンプは長尺のポンプのため、メンテナンス用のクレーンをポンプ吊り代が高いものとする必要があり、かつメンテナンス時にはその長尺のポンプを横にする必要から広いメンテナンスエリアを確保する必要がある等の問題がある。
【０００５】
本発明は、このような点に鑑み、メンテナンス用のクレーンの吊り代を低減できるできるとともにメンテナンスエリアを縮小することができ、建家の縮小化を図ることができる補機冷海水装置を得ることを目的とする。
【課題を解決するための手段】
【０００６】
本発明は、海水を取水するための取水槽と壁を隔ててポンプ室を設け、そのポンプ室に海水を揚水する横軸型海水ポンプを設置したことを特徴とする。
【発明の効果】
【０００７】
本発明は、上述のように海水を取水するための取水槽と壁を隔てて設けられたポンプ室に海水を揚水する横軸型海水ポンプを設置したので、津波の引き波による水位低下時にも必要水頭を確保できる海水ポンプ設置高さとすることができ、メンテナンス用のクレーンの吊り代を低減できるとともにメンテナンスエリアを縮小することができ、建家の縮小化を図ることができる。
【発明を実施するための最良の形態】
【０００８】
以下、図１ないし図８を参照して本発明の実施の形態を説明する。
【０００９】
図１は、本発明の第１の実施の形態を示す図であり、図中符号１０は海に面した位置に設けられた取水槽であり、その取水槽１０の一側には壁１１を隔ててポンプ室１２が形成されており、そのポンプ室１２のポンプ据付床１３上に海水を揚水する横軸型海水ポンプ１４が設置されている。そして、上記横軸型海水ポンプ１４に接続された吸込配管１５が上記壁１１を貫通して取水槽１０内の海水中に挿入されている。
【００１０】
そこで、上記吸込配管１５に設けられた弁１６を開放するとともに、横軸型海水ポンプ１４を駆動することにより、取水槽１０内の海水が汲み上げられ所要箇所に送給され、補機の冷却が行われる。
【００１１】
このように、取水槽１０の一側に壁１１を隔ててポンプ室１２が形成されており、そのポンプ室１２のポンプ据付床１３上に海水を揚水する横軸型海水ポンプ１４が設置されているので、津波の引き波による水位低下時にも必要水頭を確保できる高さ位置に横軸型海水ポンプ１４を設置することができ、しかも横軸型海水ポンプ１４を使用することにより、メンテナンス用のクレーンの吊り代を低減できるできるとともにメンテナンスエリアを縮小することができ、建家の縮小化を図ることができる。
【００１２】
図２は本発明の第２の実施の形態を示す図であり、ポンプ据付床１３には横軸型海水ポンプ１４からの漏水を貯える漏水貯槽１７が形成され、その漏水貯槽１７に、漏水貯槽１７に貯留された海水ポンプの軸封部から漏洩した海水を排出するための排出用ポンプ１８が設けられている。
【００１３】
しかして、この実施の形態においては、横軸型海水ポンプ１４の軸封部から漏洩する漏洩水を確実に上記排出用ポンプ１８によりポンプ室１２の外に排出することができる。
【００１４】
また、図３は本発明の第３の実施の形態を示す図であり、前記排出用ポンプ１８が前記横軸型海水ポンプ１４の軸１９の軸端に直結されている。
【００１５】
しかして、この実施の形態においては排出用ポンプ１８用のモータが不要であり、また設置エリアも不要となるため、さらに建家縮小化が可能となる。
【００１６】
図４は本発明の第４の実施の形態を示す図であり、横軸型海水ポンプ１４の軸封部には個体接触シール２０が設けられている。しかして、この実施の形態においては横軸型海水ポンプ１４の軸封部からの漏洩水の水量を極力少なくすることができる。また、漏洩水の排出用設備の小型化を図ることができる。
【００１７】
また、図５は本発明の第５の実施の形態を示す図であり、上記横軸型海水ポンプ１４として軸封部がない構造のポンプを用いることもできる。
【００１８】
ところで、上記横軸型海水ポンプ１４としては両吸込型ポンプとすることもでき、この場合には必要吸込水頭が小さくなり、前記ポンプ室１２の深さを軽減することができる。
【００１９】
図６は本発明の第６の実施の形態を示す図であり、横軸型海水ポンプ１４の吸込配管１５には、貯水装置２１に接続された接続配管２２の先端が接続されている。一方、前記取水槽１０には水位計２３が設けられるとともに、その水位計２３の信号により前記接続配管２２に設けられている遮断装置２４を開閉させる制御装置２５が設けられている。
【００２０】
しかして、津波の引き波による水位低下が発生すると、上記水位計２３により水位が検出され、前記制御装置２５により遮断装置２４が開される。その結果、貯水装置２１に貯水された水が前記横軸型海水ポンプ１４に供給され、前記横軸型海水ポンプ１４は通常時の海水位と同等の必要水頭を確保することができ、ポンプ室１２の深さを軽減することができる。
【００２１】
図７は本発明の第７の実施の形態を示す図であり、第３の実施の形態において、さらに横軸型海水ポンプ１４の軸１９の軸端に直結していない漏洩水排出用の予備ポンプ２６が設けられている。
【００２２】
しかして、前記横軸型海水ポンプ１４の停止時には上記予備ポンプ２６を起動することにより前記横軸型海水ポンプ１４の軸封部からの漏洩水を排出することができる。
【図面の簡単な説明】
【００２３】
【図１】本発明の第１の実施の形態を示す図。
【図２】本発明の第２の実施の形態を示す図。
【図３】本発明の第３の実施の形態を示す図。
【図４】本発明の第４の実施の形態を示す図。
【図５】本発明の第５の実施の形態を示す図。
【図６】本発明の第６の実施の形態を示す図。
【図７】本発明の第７の実施の形態を示す図。
【図８】従来の補機冷海水装置の概略構成を示す図。
【符号の説明】
【００２４】
１０  取水槽  
１１  壁
１２  ポンプ室  
１３  ポンプ据付床
１４  横軸型海水ポンプ
１５  吸込配管
１７  漏水貯槽
１８  排出用ポンプ  
１９  軸
２０  個体接触シール
２１  貯水装置
２２  接続配管
２３  水位計
２４  遮断装置
２５  制御装置
２６  予備ポンプ
【図１】
2007170287.tif 000003
【図２】
2007170287.tif 000004
【図３】
2007170287.tif 000005
【図４】
2007170287.tif 000006
【図５】
2007170287.tif 000007
【図６】
2007170287.tif 000008
【図７】
2007170287.tif 000009
【図８】
2007170287.tif 000010